(57)【要約】  【課題】開口縁部にフィルムを貼着したカップ型容器を安全に、かつ、スムーズに開封できる様にする。  【解決手段】天板１２に形成した切り欠き部１６に、切刃部３０を有する支持部材２２を、変位可能に設けた開封補助具Ｄであって；前記支持部材２２は、多孔状部材であり、水平状の内端部２２ａと弧状の外端部２２ｂとを有する扇状に形成されており、前記内端部２２ａはヒンジ２４を介して天板１２の垂直支持壁１８に連結され、前記外端部２２ｂはブリッジ２６を介して天板１２の傾斜内壁２０に連結されている。  【選択図】  図２
2006069658.tif 000002
【特許請求の範囲】
【請求項１】
容器開口部の縁部にフィルムが貼着されたカップ型容器に被着される上蓋の天板に切り欠き部を形成し、該切り欠き部に切刃部を有する支持部材が、連結手段を介して変位可能に保持されている開封補助具であって；
前記支持部材が、多孔状部材であることを特徴とするカップ型容器の開封補助具
【請求項２】
前記多孔状部材が、格子状、又は、網目状に形成されていることを特徴とする請求項１記載のカップ型容器の開封補助具
【請求項３】
前記上蓋は、天板の中心縁部に連続する支持部材接続壁と、外周縁部に連続する内壁と、天板に連続する筒状の側壁と、を備えており、
支持部材は、水平状の内端部と弧状の外端部とを有する扇状の多孔状部材であることを特徴とする請求項1、２記載のカップ型容器の開封補助具。
【請求項４】
前記内端部は、ヒンジを介して支持部材接続壁に連結され、外端部はブリッジを介して内壁に連結されていることを特徴とする請求項３記載のカップ型容器の開封補助具
【請求項５】
前記内端部は、ヒンジを介して支持部材接続壁に連結され、外端部はヒンジを介して内壁に連結されていることを特徴とする請求項３記載のカップ型容器の開封補助具
【請求項６】
前記支持部材は、押圧部となる水平頂面と、該水平頂面に連続する傾斜面とを備えていることを特徴とする請求項１、２、３、４又は、５記載のカップ型容器の開封補助具
【請求項７】
前記支持部材は、天板の下方に位置していることを特徴とする請求項１、２、３、４、５、又は、６記載のカップ型容器の開封補助具
【請求項８】
前記天板には、切り欠き部を開閉するカバーが設けられていることを特徴とする請求項１、２、３、４、５、６、又は、７記載のカップ型容器の開封補助具
【発明の詳細な説明】
【技術分野】
【０００１】
この発明は、飲料等を充填したカップ型容器を開封する際に使用する、カップ型容器の開封補助具に関するものである。
【背景技術】
【０００２】
従来からカップ型の容器に飲料等を充填し、その容器口端部をフィルムでシールした飲料が販売されている。該飲料容器には、ストローが付属されており、飲用時には該ストローでフィルムを突き破り、そのまま飲み口として使用する。
【０００３】
しかし、上記容器は、冷たい飲料には好適であるが、ホット飲料をストローで飲む習慣がないため、例えば、店頭で加熱販売されるコーヒー、紅茶には不向きである。さらに、ストローによる飲用は内容物を直接吸い出すために火傷の恐れがある。そこで、これらの問題を解決するため、次のような開封補助具が提案されている。即ち、カップ型容器の上に取り付けられる開封具を有し、基体は開封具の切刃を収容可能な高さを有する短筒状をなして下端で該容器の上端縁部に係止可能な胴部と開封具と協働して胴部の上部を閉じる天板とを有し、開封具は下方に突出する切刃を備えた切刃支持体を有していて天板にヒンジ結合しており、切刃支持体をヒンジの回転軸の回りに変位させて蓋体を切断して開封する（例えば、特許文献１、参照）。
【０００４】
【特許文献１】特開2004-123155
【発明の開示】
【発明が解決しようとする課題】
【０００５】
上記従来例では、内容物の流出を確保するために、切刃支持体をヒンジの回転軸のまわりに９０度変位させて容器口端部のフィルムを切断開封しているが、その開封時に、指が該容器内に入り内容物に触れ、火傷をする恐れがある。又、指が内容物に接触すると、衛生的にも好ましくない。
【０００６】
従来例では、飲用時に切刃支持体が飲料の流出を阻害し、スムーズな飲用を行うことが難しい。又、天板の切り欠き部の上に切刃支持体を設けているので、そこから埃が進入する恐れがあり、衛生上好ましくない。
【０００７】
この発明は、上記事情に鑑み、カップ型容器の安全、かつ、衛生的な開封を行なうとともに、スムーズに飲用できるようにすることを目的とする。
【課題を解決するための手段】
【０００８】
容器開口部の縁部にフィルムが貼着されたカップ型容器に被着される上蓋の天板に切り欠き部を形成し、該切り欠き部に切刃部を有する支持部材が、連結手段を介して変位可能に保持されている開封補助具であって；
前記支持部材が、多孔状部材であることを特徴とするカップ型容器の開封補助具であることを特徴とする。
【０００９】
多孔状部材が、格子状、又は、網目状に形成されていることを特徴とする。開封補助具は、天板の中心縁部に連続する支持部材接続壁と、外周縁部に連続する内壁と、天板に連続する筒状の側壁と、を備えており、支持部材は、水平状の内端部と弧状の外端部とを有する扇状の多孔状部材であることを特徴とする。
【００１０】
内端部は、ヒンジを介して支持部材接続壁に連結され、外端部はブリッジを介して内壁に連結されていることを特徴とする。内端部は、ヒンジを介して支持部材接続壁に連結され、外端部はヒンジを介して内壁に連結されていることを特徴とする。支持部材は、押圧部となる水平頂面と、該水平頂面に連続する傾斜面とを備えていることを特徴とする。
【００１１】
支持部材は、天板の下方に位置していることを特徴とする。天板には、切り欠き部を開閉するカバーが設けられていることを特徴とする。
【発明の効果】
【００１２】
この発明の支持部材は、多孔状部材であるので、カップ型容器の内容物、例えば、ホット飲料は前記孔内を自由に流通することができる。そのため、前記内容物の流出はスムーズになるとともに、該支持部材を９０度変位させずとも前記内容物がスムーズに流れるので、最低シール膜を破れる角度で、前記基体を保持できれば良い。
【００１３】
この発明の支持部材は、天板より下方に位置しているので、不用意に押されるのを防止できると共に、搬送時などに邪魔になるもことはない。
この発明の天板には、切り欠き部を開閉するカバーが設けられているので、該カバーを閉じておくことにより、埃の進入を防止できるとともに、商品流通時等に商品同士が接触しても、フィルムが引き裂かれることはない。
【発明を実施するための最良の形態】
【００１４】
この発明の第１実施の形態を図１、図２により説明する。
カップ型容器１には、ホット飲料、例えば、コーヒー、紅茶等が充填されており、又、フランジ３には、開口部５を覆うフィルム、例えば、アルミシート７、が貼着されている。
【００１５】
上蓋１０は、水平状の天板１２と、該天板１２の外周縁部に連続する、筒状の側壁１４と、を備えている。天板１２には、切り欠き部１６が設けられている。この切り欠き部１６は、天板１２の左半分側が扇状に形成され、直線状の中心縁部１７と弧状の外周縁部１９とを備えている。
【００１６】
前記中心縁部１７には支持部材接続壁１８が垂設され、又、前記外周縁部１９には内壁２０が連設されている。この内壁２０は、飲用しやすいように傾斜状に設けられており、側壁１４の上端部と連続している。側壁１４の下端部の内側には、係合凹部２５が形成され、該係合凹部２５は、前記フランジ３に嵌合している。
【００１７】
前記支持部材接続壁１８の下部には、支持部材２２の内端部２２ａがヒンジ２４を介して連結されている。この内端部２２ａは、直線状に形成されている。前記内壁２０の下部には、支持部材２２の外端部２２ｂがブリッジ２６を介して連結されている。この外端部２２ｂは、弧状に形成されており、その弦の長さは、前記内端部２２ａより長く、例えば、２倍の長さである。
【００１８】
前記ブリッジ２６は、周方向に所定間隔をおいて複数形成されているが、この間隔やブリッジの数等は必要に応じて適宜選択される。この実施の形態では、連結手段として、ブリッジ２６を用いているが、これに限定されるものではなく、要するに、前記支持部材２２を指で押したときに切れる程度の強度を有する弱化連結手段であれば良く、例えば、Ｖ溝を形成した薄肉部、ミシン目部、等を用いても良い。従って、前記ブリッジには、これらの弱化連結手段も含まれている。
【００１９】
支持部材２２は、切り欠き部１６より小さく形成され、平面視が切り欠き部１６と相似形に形成され、水平頂面２８ａと、該水平頂面２８ａの外周縁に連続する傾斜面２８ｂと、を備えている。
【００２０】
この水平頂面２８ａは、押圧部として機能し、天板１２より下方に位置している。前記支持部材２２は、多数の孔が形成されている部材、所謂多孔状部材である。この多孔状部材の孔２８ｋは、例えば、格子状、又は、網目状に形成されるが、この格子２８ｋは指が入りこまない大きさであれば、その大きさ、数等は、必要に応じて適宜選択される。
【００２１】
切刃部３０は、支持部材２２の外端部２２ｂの下面に垂設され、その先端は、フィルムであるアルミシート７から僅かに離間している。切刃部３０の配設位置、離間距離等は、必要に応じて適宜選択される。
【００２２】
次に、この実施の形態の作動について説明する。
開封：
支持部材２２の水平頂面（押圧部）２８ａを指で下方に押すと、ブリッジ２６が切れ、該支持部材２２はヒンジ２４を軸にして回動し、切刃部３０がアルミシート７に接触する。
【００２３】
前記支持部材２２を同方向に押し更に回転させると、切刃部３０がアルミシート７を切り裂き、注出開口が形成される。この部材２２を所定回転角度θ回転させ、鎖線の位置２２Ａにすると、所望の大きさの注出開口が形成される。この回転角度θとして、指が内容物に接触しない角度、例えば、６０°未満が好ましいが、本実施例では３０°が採用される。支持部材が所望の回転を達成すると図示しないロック機構により、支持部材はその位置を固定される。
【００２４】
開封時には、指で押している水平頂面２８ａは、アルミシート７より上方に位置しているので、該指が前記容器１内のホット飲料に接触する恐れはない。そのため、安全に、かつ、衛生的に開封することができる。
【００２５】
注出：
開封したカップ型容器１を手で掴み、唇を切り欠き部１６の外周縁部１９側につけて、該容器１を傾けると、ホット飲料が口内に流れ込む。この時、前記ホット飲料は支持部材２２の格子２８ｋを通って流れるので、前記支持部材２２が流動の妨げとなることはない。なお、この支持部材２２の格子の数や大きさ等を調節し、流量を規制することも可能である。
【００２６】
この発明の第２実施の形態を図３、図４により説明する。
この実施の形態と第１実施の形態との相違は、切り欠き部１６を常時開放しておく代わりに、天板１２にカバー３１を設け、該切り欠き部を開閉できるようにしたことである。
【００２７】
即ち、天板１２の水平状の中心縁部１７に、ヒンジ部３２を介してカバー３１を設ける。このカバー３１は、切り欠き部１６を覆う様に形成され、例えば、切り欠き部１６と相似形で、かつ、カバー３１を閉じたときに、カバー３１の上面と天板１２の上面とが、同一平面上に位置する様に形成される。このカバー３１の形状、厚さ等は、必要に応じて適宜選択される。
【００２８】
このカバー３１を閉じておくと、支持部材２２が露出しないので、誤って押されたり、カップ型容器を積載搬送するとき等に該容器同士が接触して支持部材２２を押圧することがない。又、切り欠き部からの塵の侵入を防止できるので、衛生的である。
【００２９】
この発明の第３実施の形態を図５、図６により説明する。
この実施の形態と第１実施の形態との相違は、支持部材２２の外端部２２ｂをブリッジを介して内壁２０に連結する代わりに、支持部材２２の外端部２２ｂをヒンジ３５を介して内壁２０に連結したことである。
このヒンジ３５は、所定間隔をおいて複数設けられるが、支持部材を押しても切れない程度の強度が必要である。該ヒンジ３５の幅、厚さ、形状等は、必要に応じて適宜選択される。
【００３０】
この実施の形態では、開封時に支持部材２２の水平頂面（押圧部）２８ａを押すと、支持部材２２は、ヒンジ２４、３５に支持されながら変位し、切刃部３０を下方に押圧する。これにより切刃部３０は、アルミシート７を切り裂くので、注出開口が形成される。この時、支持部材２２は、アルミシート７から離間しており、その水平頂面２８ａは天板１２近傍に位置しているので、水平頂面２８ａを押圧している指が、ホット飲料に接触する恐れはない。
【００３１】
注出開口を形成した後、水平頂面２８ａから指を離すと、支持部材２２はヒンジ２４、３５の復元力により元の位置に戻る。この状態で、カップ型容器１を傾けてホット飲料を飲むが、その際、ホット飲料は格子を通って流動するので、該支持部材２２が、ホット飲料の流動の妨げとなることはない。
【００３２】
この発明の実施の形態は、上記に限定されるものではなく、例えば、開封後に支持部材の位置を固定するため、支持部材にロック機構を設けても良い。
【図面の簡単な説明】
【００３３】
【図１】本発明の第１実施の形態を示す平面図である。
【図２】本発明の第１実施の形態を示す縦断面図である。
【図３】本発明の第２実施の形態を示す平面図である。
【図４】本発明の第２実施の形態を示す縦断面図である。
【図５】本発明の第３実施の形態を示す平面図である。
【図６】本発明の第３実施の形態を示す縦断面図である。
【符号の説明】
【００３４】
１    カップ型容器
７    アルミシート
10    上蓋
12    天板
14    側壁
16    切欠部
18    支持部材接続壁
20    内壁
22    支持部材
24    ヒンジ
26    ブリッジ
28ａ  水平頂面
30    切刃部
Ｄ    開封補助具
【図１】
2006069658.tif 000003
【図２】
2006069658.tif 000004
【図３】
2006069658.tif 000005
【図４】
2006069658.tif 000006
【図５】
2006069658.tif 000007
【図６】
2006069658.tif 000008